【手続補正書】
【提出日】平成21年9月18日(2009.9.18)
【手続補正１】
【補正対象書類名】明細書
【補正対象項目名】特許請求の範囲
【補正方法】変更
【補正の内容】
【特許請求の範囲】
【請求項１】
依頼側ユーザーからの、依頼側ユーザーが他人に依頼したいと希望している仕事が行われるべき場所に関する希望場所データを、受信もしくは取得するための希望場所受信手段と、
前記依頼側ユーザーと離れた場所に居る受注側ユーザーであって、他人から依頼された仕事を行うことを希望している受注側ユーザーからの、受注側ユーザーが現在居る現在場所に関するデータ（受注側ユーザーが保有する機器に備えられたＧＰＳ受信機により取得される現在位置の座標データ又はこれにより特定される地名・住所もしくは施設名称をいう。）を、受信もしくは取得するための現在場所受信手段と、
前記依頼側ユーザーからの希望場所と前記受注側ユーザーからの現在場所とが互いにほぼ同一又は近い場所であるかどうかを判定するための判定手段と、
前記依頼側ユーザーからの希望場所と前記受注側ユーザーからの現在場所とが互いにほぼ同一又は近いものであると判定されたとき、そのことを、前記依頼側及び受注側の双方又は一方のユーザーに知らせるための告知手段と、
を備えたことを特徴とする仕事マッチングシステム。
【請求項２】
依頼側ユーザーが、他人に依頼したいと希望している仕事が行われるべき場所に関する希望場所データを、入力もしくは送信するための希望場所入力手段と、
前記依頼側ユーザーと離れた場所に居る受注側ユーザーであって、他人から依頼された仕事を行うことを希望している受注側ユーザーが、自分が現在居る現在場所に関するデータ（受注側ユーザーが保有する機器に備えられたＧＰＳ受信機などにより取得される現在位置の座標データ、その住所、又は、その場所の目安（目印）となる施設名称など）を、入力もしくは送信するための現在場所入力手段と、
前記依頼側ユーザーからの希望場所と前記受注側ユーザーからの現在場所とが互いに同一又は近い場所であるかどうかを判定するための判定手段と、
前記依頼側ユーザーからの希望場所と前記受注側ユーザーからの現在場所とが互いに同一又は近いものであると判定されたとき、そのことを、前記依頼側及び受注側の双方又は一方のユーザーに知らせるための告知手段と、
を備えたことを特徴とする仕事マッチングシステム。
【請求項３】
依頼側ユーザーからの、他人に依頼したいと希望している仕事が行われるべき場所及びその仕事の報酬額を含む依頼希望仕事データを、受信もしくは取得するための依頼希望仕事データ受信手段と、
前記依頼側ユーザーと離れた場所に居る複数の受注側ユーザーであって、他人から依頼された仕事を行うことを希望している複数の受注側ユーザーからの、自分が現在居る現在場所データ（各受注側ユーザーが保有する機器に備えられたＧＰＳ受信機により取得される現在位置の座標データ又はこれにより特定される地名・住所もしくは施設名称をいう。）及び自分が希望する仕事の報酬額を含む受注希望仕事データを、受信もしくは取得するための受注希望仕事データ受信手段と、
前記依頼側ユーザーからの依頼希望仕事データに含まれる場所及び報酬額と前記複数の受注側ユーザーからの受注希望仕事データに含まれる場所及び報酬額とを比較し、前記複数の受注側ユーザーの中から、前記依頼側ユーザーからの依頼希望仕事データに含まれる場所及び報酬額と適合する受注側ユーザーを、抽出もしくは選択するための抽出手段と、
前記抽出手段により抽出もしくは選択された受注側ユーザーに、前記依頼希望の仕事又は依頼側ユーザーに関する情報を送信するための仕事情報送信手段と、
を備えたことを特徴とする仕事マッチングシステム。
【請求項４】
複数の依頼側ユーザーからの、他人に依頼したいと希望している仕事について、その仕事が行われるべき場所及びその仕事の報酬額を含む依頼希望仕事データを、受信もしくは取得するための依頼希望仕事データ受信手段と、
前記複数の依頼側ユーザーと離れた場所に居る受注側ユーザーであって、他人から依頼された仕事を行うことを希望している受注側ユーザーからの、自分が現在居る現在場所データ（受注側ユーザーが保有する機器に備えられたＧＰＳ受信機により取得される現在位置の座標データ又はこれにより特定される地名・住所もしくは施設名称をいう。）及び自分が希望する仕事の報酬額を含む受注希望仕事データを、受信もしくは取得するための受注希望仕事データ受信手段と、
前記複数の依頼側ユーザーからの各依頼希望仕事データに含まれる場所及び報酬額と前記受注側ユーザーからの受注希望仕事データに含まれる場所及び報酬額とを互いに比較し、前記複数の依頼側ユーザーの中から、前記受注側ユーザーからの受注希望仕事データに含まれる場所及び報酬額と適合する依頼側ユーザーを抽出もしくは選択するための抽出手段と、
前記抽出手段により抽出もしくは選択された依頼側ユーザー又はその依頼希望の仕事に関する情報を、前記受注側ユーザーに送信するための抽出結果送信手段と、
を備えたことを特徴とする仕事マッチングシステム。
【請求項５】
複数の依頼側ユーザーからの、他人に依頼したいと希望している仕事について、その仕事が行われるべき場所及びその仕事の報酬額を含む依頼希望仕事データを、受信もしくは取得するための依頼希望仕事データ受信手段と、
前記複数の依頼側ユーザーと離れた場所に居る複数の受注側ユーザーであって、他人から依頼された仕事を行うことを希望している複数の受注側ユーザーからの、自分が現在居る現在場所データ（各受注側ユーザーが保有する機器に備えられたＧＰＳ受信機により取得される現在位置の座標データ又はこれにより特定される地名・住所もしくは施設名称をいう。）及び自分が希望する仕事の報酬額を含む受注希望仕事データを、受信もしくは取得するための受注希望仕事データ受信手段と、
前記複数の依頼側ユーザーからの依頼希望仕事データに含まれる場所及び報酬額と前記複数の受注側ユーザーからの受注希望仕事データに含まれる場所及び報酬額とを互いに比較し、互いに場所及び報酬額が適合する組み合せを抽出もしくは選択するための抽出手段と、
前記抽出手段により抽出もしくは選択された結果を、前記抽出もしくは選択された組み合せに係る依頼側及び受注側の双方又は一方のユーザーに、送信するための抽出結果送信手段と、
を備えたことを特徴とする仕事マッチングシステム。
【請求項６】
他人から依頼された仕事を行うことを希望している受注側ユーザーからの、「自分が将来の或る日時に居る場所、その将来の日時、及び希望報酬額を含む受注希望仕事データ」を、受信もしくは取得するための受注希望仕事データ受信手段と、
前記受注側ユーザーと離れた場所に居る複数の依頼側ユーザーからの、「他人に依頼したいと希望している仕事が行われるべき場所、その仕事を行うべき日時、及び希望報酬額を含む依頼希望仕事データ」を、それぞれ、受信もしくは取得するための依頼希望仕事データ受信手段と、
前記複数の依頼側ユーザーからの各依頼希望仕事データに含まれる仕事の場所、日時、及び希望報酬額を、前記受注側ユーザーからの受注希望仕事データに含まれる自分が将来の或る日時に居る場所、その将来の日時、及び希望報酬額と比較し、前記複数の依頼側ユーザーの中から、前記受注側ユーザーが提示した自分が将来の或る日時に居る場所、その将来の日時、及び希望報酬額と適合する依頼側ユーザーを、抽出もしくは選択するための抽出手段と、
前記抽出手段により抽出もしくは選択された依頼側ユーザーに関する情報を、前記受注側ユーザーに送信するための仕事情報送信手段と、
を備えたことを特徴とする仕事マッチングシステム。
【手続補正２】
【補正対象書類名】明細書
【補正対象項目名】０００３
【補正方法】変更
【補正の内容】
【０００３】
【発明が解決しようとする課題】
本発明は、様々な場所に散在し且つ移動している多数の個人ユーザー又はそのような個人が所属している企業ユーザーが、「各個人が今居る現在場所」又はその近くで即時的に仕事を受注したり、そのようなユーザーに即時的に仕事を依頼したりすることを可能にする、仕事マッチングシステムを提供することを目的とする。
【手続補正３】
【補正対象書類名】明細書
【補正対象項目名】０００５
【補正方法】変更
【補正の内容】
【０００５】
（本発明の内容）
第１  本願の特許請求の範囲に記載された発明の内容
１．  依頼側ユーザーからの、依頼側ユーザーが他人に依頼したいと希望している仕事が行われるべき場所に関する希望場所データを、受信もしくは取得するための希望場所受信手段と、前記依頼側ユーザーと離れた場所に居る受注側ユーザーであって、他人から依頼された仕事を行うことを希望している受注側ユーザーからの、受注側ユーザーが現在居る現在場所に関するデータ（受注側ユーザーが保有する機器に備えられたＧＰＳ受信機により取得される現在位置の座標データ又はこれにより特定される地名・住所もしくは施設名称をいう。）を、受信もしくは取得するための現在場所受信手段と、前記依頼側ユーザーからの希望場所と前記受注側ユーザーからの現在場所とが互いにほぼ同一又は近い場所であるかどうかを判定するための判定手段と、前記依頼側ユーザーからの希望場所と前記受注側ユーザーからの現在場所とが互いにほぼ同一又は近いものであると判定されたとき、そのことを、前記依頼側及び受注側の双方又は一方のユーザーに知らせるための告知手段と、を備えたことを特徴とする仕事マッチングシステム。
２．  依頼側ユーザーが、他人に依頼したいと希望している仕事が行われるべき場所に関する希望場所データを、入力もしくは送信するための希望場所入力手段と、前記依頼側ユーザーと離れた場所に居る受注側ユーザーであって、他人から依頼された仕事を行うことを希望している受注側ユーザーが、自分が現在居る現在場所に関するデータ（受注側ユーザーが保有する機器に備えられたＧＰＳ受信機などにより取得される現在位置の座標データ、その住所、又は、その場所の目安（目印）となる施設名称など）を、入力もしくは送信するための現在場所入力手段と、前記依頼側ユーザーからの希望場所と前記受注側ユーザーからの現在場所とが互いに同一又は近い場所であるかどうかを判定するための判定手段と、前記依頼側ユーザーからの希望場所と前記受注側ユーザーからの現在場所とが互いに同一又は近いものであると判定されたとき、そのことを、前記依頼側及び受注側の双方又は一方のユーザーに知らせるための告知手段と、を備えたことを特徴とする仕事マッチングシステム。
３．  依頼側ユーザーからの、他人に依頼したいと希望している仕事が行われるべき場所及びその仕事の報酬額を含む依頼希望仕事データを、受信もしくは取得するための依頼希望仕事データ受信手段と、前記依頼側ユーザーと離れた場所に居る複数の受注側ユーザーであって、他人から依頼された仕事を行うことを希望している複数の受注側ユーザーからの、自分が現在居る現在場所データ（各受注側ユーザーが保有する機器に備えられたＧＰＳ受信機により取得される現在位置の座標データ又はこれにより特定される地名・住所もしくは施設名称をいう。）及び自分が希望する仕事の報酬額を含む受注希望仕事データを、受信もしくは取得するための受注希望仕事データ受信手段と、前記依頼側ユーザーからの依頼希望仕事データに含まれる場所及び報酬額と前記複数の受注側ユーザーからの受注希望仕事データに含まれる場所及び報酬額とを比較し、前記複数の受注側ユーザーの中から、前記依頼側ユーザーからの依頼希望仕事データに含まれる場所及び報酬額と適合する受注側ユーザーを、抽出もしくは選択するための抽出手段と、前記抽出手段により抽出もしくは選択された受注側ユーザーに、前記依頼希望の仕事又は依頼側ユーザーに関する情報を送信するための仕事情報送信手段と、を備えたことを特徴とする仕事マッチングシステム。
４．  複数の依頼側ユーザーからの、他人に依頼したいと希望している仕事について、その仕事が行われるべき場所及びその仕事の報酬額を含む依頼希望仕事データを、受信もしくは取得するための依頼希望仕事データ受信手段と、前記複数の依頼側ユーザーと離れた場所に居る受注側ユーザーであって、他人から依頼された仕事を行うことを希望している受注側ユーザーからの、自分が現在居る現在場所データ（受注側ユーザーが保有する機器に備えられたＧＰＳ受信機により取得される現在位置の座標データ又はこれにより特定される地名・住所もしくは施設名称をいう。）及び自分が希望する仕事の報酬額を含む受注希望仕事データを、受信もしくは取得するための受注希望仕事データ受信手段と、前記複数の依頼側ユーザーからの各依頼希望仕事データに含まれる場所及び報酬額と前記受注側ユーザーからの受注希望仕事データに含まれる場所及び報酬額とを互いに比較し、前記複数の依頼側ユーザーの中から、前記受注側ユーザーからの受注希望仕事データに含まれる場所及び報酬額と適合する依頼側ユーザーを抽出もしくは選択するための抽出手段と、前記抽出手段により抽出もしくは選択された依頼側ユーザー又はその依頼希望の仕事に関する情報を、前記受注側ユーザーに送信するための抽出結果送信手段と、を備えたことを特徴とする仕事マッチングシステム。
５．  複数の依頼側ユーザーからの、他人に依頼したいと希望している仕事について、その仕事が行われるべき場所及びその仕事の報酬額を含む依頼希望仕事データを、受信もしくは取得するための依頼希望仕事データ受信手段と、前記複数の依頼側ユーザーと離れた場所に居る複数の受注側ユーザーであって、他人から依頼された仕事を行うことを希望している複数の受注側ユーザーからの、自分が現在居る現在場所データ（各受注側ユーザーが保有する機器に備えられたＧＰＳ受信機により取得される現在位置の座標データ又はこれにより特定される地名・住所もしくは施設名称をいう。）及び自分が希望する仕事の報酬額を含む受注希望仕事データを、受信もしくは取得するための受注希望仕事データ受信手段と、前記複数の依頼側ユーザーからの依頼希望仕事データに含まれる場所及び報酬額と前記複数の受注側ユーザーからの受注希望仕事データに含まれる場所及び報酬額とを互いに比較し、互いに場所及び報酬額が適合する組み合せを抽出もしくは選択するための抽出手段と、前記抽出手段により抽出もしくは選択された結果を、前記抽出もしくは選択された組み合せに係る依頼側及び受注側の双方又は一方のユーザーに、送信するための抽出結果送信手段と、を備えたことを特徴とする仕事マッチングシステム。
６．  他人から依頼された仕事を行うことを希望している受注側ユーザーからの、「自分が将来の或る日時に居る場所、その将来の日時、及び希望報酬額を含む受注希望仕事データ」を、受信もしくは取得するための受注希望仕事データ受信手段と、前記受注側ユーザーと離れた場所に居る複数の依頼側ユーザーからの、「他人に依頼したいと希望している仕事が行われるべき場所、その仕事を行うべき日時、及び希望報酬額を含む依頼希望仕事データ」を、それぞれ、受信もしくは取得するための依頼希望仕事データ受信手段と、前記複数の依頼側ユーザーからの各依頼希望仕事データに含まれる仕事の場所、日時、及び希望報酬額を、前記受注側ユーザーからの受注希望仕事データに含まれる自分が将来の或る日時に居る場所、その将来の日時、及び希望報酬額と比較し、前記複数の依頼側ユーザーの中から、前記受注側ユーザーが提示した自分が将来の或る日時に居る場所、その将来の日時、及び希望報酬額と適合する依頼側ユーザーを、抽出もしくは選択するための抽出手段と、前記抽出手段により抽出もしくは選択された依頼側ユーザーに関する情報を、前記受注側ユーザーに送信するための仕事情報送信手段と、を備えたことを特徴とする仕事マッチングシステム。
なお、本発明においては、本明細書の特許請求の範囲の中に記載されているシステム（装置）のアイデアは、全て、「方法」としても捉えることができる。すなわち、本発明においては、本明細書の特許請求の範囲の中において「システム（装置）」の形で記載された発明の内容は、全て、「方法」の形でも記載することができ、「方法」の形でも実現することができる。すなわち、本発明においては、本明細書の特許請求の範囲の中において、末尾に「システム（装置）」という文字が記載された発明は、その全てが、末尾に「方法」という文字で把握・記載される発明とすることができる。すなわち、本明細書の特許請求の範囲の内容は、その全てが「方法の発明」としても構成することができ、そのように「方法の発明」として構成される発明も、本発明の範囲内である。
第２  本願の明細書の中で提案されている発明の内容
「本願の特許請求の範囲に記載された発明」そのものではないが、本明細書では、次のような内容の発明も開示・提案している。
１．  ユーザーＡが、他人に依頼したいと希望している仕事が行われるべき場所に関する希望場所データ（ユーザーが携帯するＧＰＳ受信機により取得される現在位置座標データ、住所、又は、場所の目安（目印）となる施設名称など）を入力するための希望場所入力手段と、前記ユーザーＡと離れた場所に居る個人ユーザーであって、他人から依頼された仕事を行うことを希望している個人ユーザーＢが、自分が現在居る現在場所に関するデータ（ユーザーが携帯するＧＰＳ受信機により取得される現在位置座標データ、住所、又は、場所の目安（目印）となる施設名称など）を入力するための現在場所入力手段と、前記ユーザーＡからの希望場所と前記個人ユーザーＢからの現在場所とが互いに同一又は近い場所であるかどうかを判定するための判定手段と、前記ユーザーＡから入力された希望場所と前記個人ユーザーＢから入力された現在場所とが互いに同一又は近いものであると判定されたとき、そのことを、双方又は一方のユーザーに知らせるための告知手段と、を備えたことを特徴とする仕事マッチングシステム。
２．  ユーザーＡから入力された、ユーザーＡが他人に依頼したいと希望している仕事が行われるべき場所に関する希望場所データ（ユーザーが携帯するＧＰＳ受信機により取得される現在位置座標データ、住所、又は、場所の目安（目印）となる施設名称など）を受信するための希望場所受信手段と、前記ユーザーＡと離れた場所に居る個人ユーザーであって、他人から依頼された仕事を行うことを希望している個人ユーザーＢから入力された、個人ユーザーＢが現在居る現在場所に関するデータ（ユーザーが携帯するＧＰＳ受信機により取得される現在位置座標データ、住所、又は、場所の目安（目印）となる施設名称など）を受信するための現在場所受信手段と、前記ユーザーＡから入力された希望場所と前記個人ユーザーＢから入力された現在場所とが互いにほぼ同一又は近い場所であるかどうかを判定するための判定手段と、前記ユーザーＡからの希望場所と前記個人ユーザーＢから入力された現在場所とが互いにほぼ同一又は近いものであると判定されたとき、そのことを、双方又は一方のユーザーに知らせるための告知手段と、を備えたことを特徴とする仕事マッチングシステム。
３．  ユーザーＡが、他人に依頼したいと希望している仕事について、その仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを入力するための依頼希望仕事データ入力手段と、前記ユーザーＡと離れた場所に居る個人ユーザーであって、他人から依頼された仕事を行うことを希望している個人ユーザーＢが、自分が現在居る現在場所データ（ユーザーが携帯するＧＰＳ受信機により取得される現在位置座標データ、住所、又は、場所の目安（目印）となる施設名称など）及び自分が仕事を行う場合の報酬を含む受注希望仕事データを入力するための受注希望仕事データ入力手段と、前記ユーザーＡからの依頼希望仕事データと前記個人ユーザーＢからの受注希望仕事データとが互いに同一又は近いものかどうかを判定するための判定手段と、前記ユーザーＡからの依頼希望仕事データと前記個人ユーザーＢからの受注希望仕事データとが互いに同一又は近いものであると判定されたとき、そのことを、双方又は一方のユーザーに知らせるための告知手段と、を備えたことを特徴とする仕事マッチングシステム。
４．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを受信するための依頼希望仕事データ受信手段と、前記ユーザーＡと離れた場所に居る個人ユーザーであって、他人から依頼された仕事を行うことを希望している個人ユーザーＢからの、自分が現在居る現在場所データ（ユーザーが携帯するＧＰＳ受信機により取得される現在位置座標データ、住所、又は、場所の目安（目印）となる施設名称など）及び自分が仕事を行う場合の報酬を含む受注希望仕事データを受信するための受注希望仕事データ受信手段と、前記ユーザーＡからの依頼希望仕事データと前記個人ユーザーＢからの受注希望仕事データとが互いに同一又は近いものかどうかを判定するための判定手段と、前記ユーザーＡからの依頼希望仕事データと前記個人ユーザーＢからの受注希望仕事データとが互いに同一又は近いものであると判定されたとき、そのことを、双方又は一方のユーザーに知らせるための告知手段と、を備えたことを特徴とする仕事マッチングシステム。
５．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及びその仕事の最高報酬額を含む依頼希望仕事データを入力するための依頼希望仕事データ入力手段と、このユーザーＡからの依頼希望仕事データの内容を、少なくとも所定の資格を有する者がネットワークを介して知ることができるように公開する公開手段と、前記ユーザーＡと離れた場所に居る個人ユーザーであって、他人から依頼された仕事を行うことを希望している複数の個人ユーザーＢ１，Ｂ２，Ｂ３・・・が、それぞれ、自分が現在居る現在場所データ（ユーザーが携帯するＧＰＳ受信機により取得される現在位置座標データ、住所、又は、場所の目安（目印）となる施設名称など）及び自分が前記公開された依頼希望仕事データの仕事を行う場合の希望報酬額を含む受注希望仕事データを入力するための受注希望仕事データ入力手段と、前記個人ユーザーＢ１，Ｂ２，Ｂ３・・・からの各受注希望仕事データの中から、前記ユーザーＡからの依頼希望仕事データとある程度適合しており、且つ、最も低い報酬額を含んでいる受注希望仕事データを選別する選別手段と、この選別の結果を、少なくとも前記ユーザーＡに知らせるための告知手段と、を備えたことを特徴とする仕事マッチングシステム。
６．  他人から依頼された仕事を行うことを希望している個人ユーザーＢが、自分が現在居る現在場所データ（ユーザーが携帯するＧＰＳ受信機により取得される現在位置座標データ、住所、又は、場所の目安（目印）となる施設名称など）及び自分が仕事を行う場合の最低報酬額を含む受注希望仕事データを入力するための受注希望仕事データ入力手段と、この個人ユーザーＢからの受注希望仕事データを少なくとも所定の資格を有する者がネットワークを介して知ることができるように公開する公開手段と、前記個人ユーザーＢと離れた場所に居る複数のユーザーＡ１，Ａ２，Ａ３・・・が、それぞれ、前記の公開された受注希望仕事データを入力した個人ユーザーＢに依頼することを希望する仕事が行われるべき場所（ユーザーが携帯するＧＰＳ受信機により取得される現在位置座標データ、住所、又は、場所の目安（目印）となる施設名称など）及びその仕事の希望報酬額を含む依頼希望仕事データを入力するための依頼希望仕事データ入力手段と、前記ユーザーＡ１，Ａ２，Ａ３・・・からの各依頼希望仕事データの中から、前記個人ユーザーＢからの受注希望仕事データとある程度適合しており、且つ、最も高い報酬額を含んでいる依頼希望仕事データを選別する選別手段と、この選別の結果を、少なくとも前記個人ユーザーＢに知らせるための告知手段と、を備えたことを特徴とする仕事マッチングシステム。
７．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを入力するための依頼希望仕事データ入力手段と、前記ユーザーＡと離れた場所に居る個人ユーザーであって、他人から依頼された仕事を行うことを希望している個人ユーザーＢが、自分が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを入力するための受注希望仕事データ入力手段と、前記ユーザーＡからの依頼希望仕事データと前記個人ユーザーＢからの受注希望仕事データとが互いに同一又は近いものであるかどうかを判定するための判定手段と、前記ユーザーＡからの依頼希望仕事データと前記個人ユーザーＢからの受注希望仕事データとが互いに同一又は近いものであると判定されたとき、そのことを、双方又は一方のユーザーに知らせるための告知手段と、を備えたことを特徴とする仕事マッチングシステム。
８．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを受信するための依頼希望仕事データ受信手段と、前記ユーザーＡと離れた場所に居る個人ユーザーであって、他人から依頼された仕事を行うことを希望している個人ユーザーＢからの、自分が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを受信するための受注希望仕事データ受信手段と、前記ユーザーＡからの依頼希望仕事データと前記個人ユーザーＢからの受注希望仕事データとが互いに同一又は近いものであるかどうかを判定するための判定手段と、前記ユーザーＡからの依頼希望仕事データと前記個人ユーザーＢからの受注希望仕事データとが互いに同一又は近いものであると判定されたき、そのことを、双方又は一方のユーザーに知らせるための告知手段と、を備えたことを特徴とする仕事マッチングシステム。
９．  ユーザーＡが、他人に依頼したいと希望している仕事が行われるべき場所に関する希望場所データ（ユーザーが携帯するＧＰＳ受信機により取得される現在位置座標データ、住所、又は、場所の目安（目印）となる施設名称など）を入力するための希望場所入力手段と、前記ユーザーＡと離れた場所に居る従業員を有する企業ユーザーであって、他人から依頼された仕事を行うことを希望している企業ユーザーＢが、その従業員が現在居る現在場所に関するデータ（ユーザーが携帯するＧＰＳ受信機により取得される現在位置座標データ、住所、又は、場所の目安（目印）となる施設名称など）を入力するための現在場所入力手段と、前記ユーザーＡからの希望場所と前記企業ユーザーＢからの従業員の現在場所とが互いに同一又は近い場所であるかどうかを判定するための判定手段と、前記ユーザーＡからの希望場所と前記企業ユーザーＢからの従業員の現在場所とが互いに同一又は近いものであると判定されたとき、そのことを、双方又は一方のユーザーに知らせるための告知手段と、を備えたことを特徴とする仕事マッチングシステム。
１０．  ユーザーＡからの、ユーザーＡが他人に依頼したいと希望している仕事が行われるべき場所（ユーザーが携帯するＧＰＳ受信機により取得される現在位置座標データ、住所、又は、場所の目安（目印）となる施設名称など）に関する希望場所データを受信するための希望場所受信手段と、前記ユーザーＡと離れた場所に居る企業ユーザーであって、他人から依頼された仕事を行うことを希望している企業ユーザーＢからの、その従業員が現在居る現在場所に関するデータ（ユーザーが携帯するＧＰＳ受信機により取得される現在位置座標データ、住所、又は、場所の目安（目印）となる施設名称など）を受信するための現在場所受信手段と、前記ユーザーＡからの希望場所と前記企業ユーザーＢからのその従業員の現在場所とが互いに同一又は近い場所であるかどうかを判定するための判定手段と、前記ユーザーＡからの希望場所と前記企業ユーザーＢからのその従業員の現在場所とが互いに同一又は近いものであると判定されたとき、そのことを、双方又は一方のユーザーに知らせるための告知手段と、を備えたことを特徴とする仕事マッチングシステム。
１１．  ユーザーＡが、他人に依頼したいと希望している仕事について、その仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを入力するための依頼希望仕事データ入力手段と、前記ユーザーＡと離れた場所に居る企業ユーザーであって、他人から依頼された仕事を行うことを希望している企業ユーザーＢが、その従業員が現在居る現在場所データ（ユーザーが携帯するＧＰＳ受信機により取得される現在位置座標データ、住所、又は、場所の目安（目印）となる施設名称など）及び自分が仕事を行う場合の報酬を含む受注希望仕事データを入力するための受注希望仕事データ入力手段と、前記ユーザーＡからの依頼希望仕事データと前記企業ユーザーＢからの受注希望仕事データとが互いに同一又は近いものかどうかを判定するための判定手段と、前記ユーザーＡからの依頼希望仕事データと前記企業ユーザーＢからの受注希望仕事データとが互いに同一又は近いものであると判定されたとき、そのことを、双方又は一方のユーザーに知らせるための告知手段と、を備えたことを特徴とする仕事マッチングシステム。
１２．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及びその仕事の報酬を含む依頼希望仕事データを受信するための依頼希望仕事データ受信手段と、前記ユーザーＡと離れた場所に居る企業ユーザーであって、他人から依頼された仕事を行うことを希望している企業ユーザーＢからの、その従業員が現在居る現在場所のデータ（ユーザーが携帯するＧＰＳ受信機により取得される現在位置座標データ、住所、又は、場所の目安（目印）となる施設名称など）及び自分が仕事を行う場合の報酬を含む受注希望仕事データを受信するための受注希望仕事データ受信手段と、前記ユーザーＡからの依頼希望仕事データと前記企業ユーザーＢからの受注希望仕事データとが互いに同一又は近いものかどうかを判定するための判定手段と、前記ユーザーＡからの依頼希望仕事データと前記企業ユーザーＢからの受注希望仕事データとが互いに同一又は近いものであると判定されたとき、そのことを、双方又は一方のユーザーに知らせるための告知手段と、を備えたことを特徴とする仕事マッチングシステム。
１３．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及びその仕事の最高報酬額を含む依頼希望仕事データを入力するための依頼希望仕事データ入力手段と、このユーザーＡからの依頼希望仕事データの内容を、少なくとも所定の資格を有する者がネットワークを介して知ることができるように公開する公開手段と、前記ユーザーＡと離れた場所に居る企業ユーザーであって、他人から依頼された仕事を行うことを希望している複数の企業ユーザーＢ１，Ｂ２，Ｂ３・・・が、それぞれ、その従業員が現在居る現在場所のデータ（ユーザーが携帯するＧＰＳ受信機により取得される現在位置座標データ、住所、又は、場所の目安（目印）となる施設名称など）及び自社が前記公開された依頼希望仕事データの仕事を行う場合の希望報酬額を含む受注希望仕事データを入力するための受注希望仕事データ入力手段と、前記企業ユーザーＢ１，Ｂ２，Ｂ３・・・からの各受注希望仕事データの中から、前記ユーザーＡからの依頼希望仕事データとある程度適合しており、且つ、最も低い報酬額を含んでいる受注希望仕事データを選別する選別手段と、この選別の結果を、少なくとも前記ユーザーＡに知らせるための告知手段と、
を備えたことを特徴とする仕事マッチングシステム。
１４．  他人から依頼された仕事を行うことを希望している企業ユーザーＢが、その従業員が現在居る現在場所（ユーザーが携帯するＧＰＳ受信機により取得される現在位置座標データ、住所、又は、場所の目安（目印）となる施設名称など）及び自社が仕事を行う場合の最低報酬額を含む受注希望仕事データを入力するための受注希望仕事データ入力手段と、この企業ユーザーＢからの受注希望仕事データを少なくとも所定の資格を有する者がネットワークを介して知ることができるように公開する公開手段と、前記企業ユーザーＢと離れた場所に居る複数のユーザーＡ１，Ａ２，Ａ３・・・が、それぞれ、前記の公開された受注希望仕事データを入力した企業ユーザーＢに依頼することを希望する仕事が行われるべき場所（ユーザーが携帯するＧＰＳ受信機により取得される現在位置座標データ、住所、又は、場所の目安（目印）となる施設名称など）及びその仕事の希望報酬額を含む依頼希望仕事データを入力するための依頼希望仕事データ入力手段と、前記ユーザーＡ１，Ａ２，Ａ３・・・からの各依頼希望仕事データの中から、前記企業ユーザーＢからの受注希望仕事データとある程度適合しており、且つ、最も高い報酬額を含んでいる依頼希望仕事データを選別する選別手段と、この選別の結果を、少なくとも前記企業ユーザーＢに知らせるための告知手段と、を備えたことを特徴とする仕事マッチングシステム。
１５．  ユーザーＡが、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを入力するための依頼希望仕事データ入力手段と、前記ユーザーＡと離れた場所に居る企業ユーザーであって、他人から依頼された仕事を行うことを希望している企業ユーザーＢが、自社が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを入力するための受注希望仕事データ入力手段と、前記ユーザーＡからの依頼希望仕事データと前記企業ユーザーＢからの受注希望仕事データとが互いに同一又は近いものであるかどうかを判定するための判定手段と、前記ユーザーＡからの依頼希望仕事データと前記企業ユーザーＢからの受注希望仕事データとが互いに同一又は近いものであると判定されたとき、そのことを、双方又は一方のユーザーに知らせるための告知手段と、を備えたことを特徴とする仕事マッチングシステム。
１６．  ユーザーＡからの、他人に依頼したいと希望している仕事が行われるべき場所（ユーザーが携帯するＧＰＳ受信機により取得される現在位置座標データ、住所、又は、場所の目安（目印）となる施設名称など）及び日時を含む依頼希望仕事データを受信するための依頼希望仕事データ受信手段と、前記ユーザーＡと離れた場所に居る企業ユーザーであって、他人から依頼された仕事を行うことを希望している企業ユーザーＢからの、自社が他人からの仕事を請け負いたい場所（ユーザーが携帯するＧＰＳ受信機により取得される現在位置座標データ、住所、又は、場所の目安（目印）となる施設名称など）及び日時を含む受注希望仕事データを受信するための受注希望仕事データ受信手段と、前記ユーザーＡからの依頼希望仕事データと前記企業ユーザーＢからの受注希望仕事データとが互いに同一又は近いものであるかどうかを判定するための判定手段と、前記ユーザーＡからの依頼希望仕事データと前記企業ユーザーＢからの受注希望仕事データとが互いに同一又は近いものであると判定されたき、そのことを、双方又は一方のユーザーに知らせるための告知手段と、を備えたことを特徴とする仕事マッチングシステム。
１７．  ユーザーＡが、他人に依頼したいと希望している仕事が行われるべき場所に関する希望場所データ（ユーザーが携帯するＧＰＳ受信機により取得される現在位置座標データ、住所、又は、場所の目安（目印）となる施設名称など）を入力する希望場所データ入力ステップと、前記希望場所データ入力ステップに前後して又はこれと同時に行われ得るステップであって、前記ユーザーＡと離れた場所に居る個人ユーザーであって、他人から依頼された仕事を行うことを希望している個人ユーザーＢが、自分が現在居る現在場所に関するデータ（ユーザーが携帯するＧＰＳ受信機により取得される現在位置座標データ、住所、又は、場所の目安（目印）となる施設名称など）を入力する現在場所入力ステップと、前記ユーザーＡからの希望場所と前記個人ユーザーＢからの現在場所とが互いに同一又は近い場所であるかどうかを判定するための判定ステップと、前記ユーザーＡからの希望場所と前記個人ユーザーＢからの現在場所とが互いに同一又は近いものであると判定されたとき、そのことを、双方又は一方のユーザーに知らせるための通知ステップと、を含むことを特徴とする仕事マッチング方法。
【手続補正４】
【補正対象書類名】明細書
【補正対象項目名】００４５
【補正方法】変更
【補正の内容】
【００４５】
【発明の効果】
本発明による効果及び本発明の実施形態による効果は、次のとおりである。
１．本発明において、仕事を依頼することを希望する側の依頼側ユーザーと仕事を受注することを希望する受注側ユーザーとを、「依頼したい仕事の場所」と「仕事の受注を希望するユーザー側の、現在位置、すなわち現在居る場所」とをキーとして、ほぼリアルタイムにマッチングを行うようにしたときは、
（ａ）「（今現在、今すぐに、又は、これから）、他人に仕事を依頼したい依頼側ユーザー」は、インターネットなどのネットワークを介して、ほぼリアルタイムに、「自分が（今から、今すぐに、これから）依頼したい仕事の場所に適合・合致した場所に現在居る受注側ユーザー」を見つけて、直ちに、仕事を依頼することが可能になり、また、
（ｂ）「（今現在、今直ぐ、又は、これから）、他人から依頼される仕事を受注したい受注側ユーザー」は、インターネットなどのネットワークを介して、ほぼリアルタイムに、「自分の現在居る場所に適合・合致した仕事」を依頼してくれる依頼側ユーザー（及び、その仕事）を見つけて、直ちに、その仕事を受注することが可能になる。
よって、上記のような構成を採用するときは、例えば、放浪の旅をしている個人ユーザーが、旅先のある場所で、「今から、短時間の仕事をして報酬を得たい」と希望したとき、直ちに、その「旅先のある場所での仕事を求めるニーズ」を満たすことができる。
２．本発明において、仕事の依頼を希望する側の依頼側ユーザーと仕事の受注を希望する受注側ユーザーとを、「依頼側ユーザー側の、依頼したい仕事の場所、及び、希望報酬額」と「受注側ユーザー側の、現在位置、すなわち今現在居る場所、及び、希望報酬額」とをキーとして、ほぼリアルタイムにマッチングを行うようにしたときは、
（ａ）「（今現在、今すぐに、又は、これから）、他人に仕事を依頼したい依頼側ユーザー」は、インターネットなどのネットワークを介して、ほぼリアルタイムに、「自分が（今から、今すぐに、又は、これから）依頼したい仕事の場所及び希望報酬額に適合・合致した場所に現在居る受注側ユーザー」を見つけて、直ちに、その仕事を依頼することが可能になり、また、
（ｂ）「（今現在、今直ぐ、又は、これから）、他人から依頼される仕事を受注したい受注側ユーザー」は、インターネットなどのネットワークを介して、ほぼリアルタイムに、「自分の現在居る場所及び希望報酬額に適合・合致した仕事」を依頼してくれる依頼側ユーザー（及び、その仕事）を見つけて、直ちに、その仕事を受注することが可能になる。
３．本発明において、誰かに仕事を依頼したいと希望する依頼側ユーザーのために、その仕事の受注を希望する「受注側ユーザーによる競り」（オークション。ある人からの仕事を受注したいと希望する複数の受注側ユーザーが、報酬額を競うことにより、より低額の報酬額を提示した受注側ユーザーが、その依頼側ユーザーからの仕事を受注できるという競争）を実施し、「依頼側ユーザー側の、依頼したい仕事の場所と希望報酬額」と「受注側ユーザー側の、現在位置（場所）と希望報酬額」をキーとして、ほぼリアルタイムに、より低い報酬額を提示した受注側ユーザーに仕事を受注させるようにしたときは、「（今現在、今すぐに、又は、これから）、他人に仕事を依頼したい依頼側ユーザー」は、インターネットなどのネットワークを介して、ほぼリアルタイムに、「自分が（今から、今すぐに、又は、これから）依頼したい仕事の場所に適合・合致した場所に現在居る受注側ユーザーであって、最も低い報酬額を提示してくれる受注側ユーザー」を見つけて、直ちに、仕事を依頼することが可能になる。
４．本発明において、仕事の受注を希望する側の受注側ユーザーのために、仕事を依頼する「依頼側ユーザーによる競り」（オークション。ある人に仕事を依頼したいと希望する依頼側ユーザーが、報酬額を競うことにより、より高額の報酬額を提示した依頼側ユーザーが、その受注側ユーザーに仕事を依頼できるという競争）を実施し、「依頼側ユーザー側の、依頼したい仕事の場所と希望報酬額」と「受注側ユーザー側の、現在位置（場所）と希望報酬額」をキーとして、ほぼリアルタイムに、より高い報酬額を提示した依頼側ユーザーからの仕事を受注させるようにしたときは、「（今現在、今すぐに、又は、これから）、他人からの仕事を受注したい受注側ユーザー」は、インターネットなどのネットワークを介して、ほぼリアルタイムに、「自分が今現在居る場所に適合・合致した仕事であって、最も高い報酬額が提示されている仕事とその依頼側ユーザー」を見つけて、直ちに、その仕事を受注することが可能になる。
５．本発明において、「将来の或る日時における仕事」の受注を希望する側の受注側ユーザーのために、仕事を依頼する「依頼側ユーザーによる競り」（オークション。ある人に仕事を依頼したいと希望する依頼側ユーザーが、報酬額を競うことにより、より高額の報酬額を提示した依頼側ユーザーが、その受注側ユーザーに仕事を依頼できるという競争）を実施し、「受注側ユーザー側から提示された、自分が将来の或る日時に居る予定の場所、その将来の日時、及び希望報酬額」に対して、それと適合する「将来の或る日時に依頼したい仕事の場所、その将来の日時、及び希望報酬額」を提示している依頼側ユーザーであってより高い報酬額を提示している依頼側ユーザーを抽出・選択し、その抽出・選択し依頼側ユーザーに関する情報を前記受注側ユーザーに提供するようにしたときは、受注側ユーザーは、「自分が将来の或る日時に居る予定の場所に適合・合致した仕事であって、しかも最も高い報酬額が提示されている仕事とその依頼側ユーザー」を見つけて受注することが可能になる。
※なお、本発明は、（「個人ユーザー」の仕事を受注したいというニーズのみならず）「複数の従業員を有する企業ユーザー」側の「様々な場所に移動・滞在している複数の従業員の現在場所」をキー（鍵）として仕事を受注したいという受注側ユーザーである企業のニーズと、様々な場所での仕事を依頼したいという依頼側ユーザーのニーズとを、うまくマッチングさせるためにも、適用することができる。
【手続補正５】
【補正対象書類名】明細書
【補正対象項目名】０００７
【補正方法】変更
【補正の内容】
【０００７】
次に、本実施形態１の動作を説明する。ここでは、東京都に住むユーザーＡが、遠隔の山口県山口市○○町という住所にある自分の祖先の墓の掃除という仕事を、「現在、たまたま、山口県山口市○○町という住所にある自分の祖先の墓の近くに居る人（個人）」に依頼して、今すぐ行ってもらいたい、と希望した場合、を例にして説明する。また、この場合、前記サーバー５は、一定の会員（有料会員かどうかを問わない）に対して、インターネットを介して、仕事の依頼を希望する側と仕事の受注を希望する側とのマッチング・仲介をするサービスをするためのものである。また、この場合、各ユーザーＡ，Ｂ，Ｃは、それぞれサーバー５に会員登録を既に行っており、それぞれ、サーバー５により、ＩＤ（身分証明データ）の発行とパスワードの設定を行ってもらっているものとする。
【手続補正６】
【補正対象書類名】明細書
【補正対象項目名】０００８
【補正方法】変更
【補正の内容】
【０００８】
この場合、まず、ユーザーＡは、端末２から、サーバー５に、インターネット１を介して、「仕事をすべき場所、仕事の内容、仕事の予定報酬額」などの依頼希望仕事データを、自分のＩＤ及びパスワードと共に、送信（入力）する。具体的には、ユーザーＡの端末２からサーバー５に、「仕事をすべき場所（山口県山口市○○町という住所にある自分の祖先の墓の場所）、仕事の内容（墓の掃除）、仕事の予定報酬額（最高５千円）」という依頼希望仕事データが、送信（入力）される。
【手続補正７】
【補正対象書類名】明細書
【補正対象項目名】０００９
【補正方法】変更
【補正の内容】
【０００９】
また、個人ユーザーＢ，Ｃは、前記ユーザーＡによる入力と同時に又は前後して、それぞれ、「自分の現在位置に関する場所データ（ＧＰＳ受信機３ａ，４ａから得られる位置座標データでもよいし、住所地データ、地名データ、施設名データなどでもよい）、希望報酬額」などの仕事受注希望データを、サーバー５へ送信（入力）する。具体的には、例えば、個人ユーザーＢは、「現在、山口県山口市の＊＊駅の近くに居る、希望報酬額は４千円」という仕事受注希望データをサーバー５に送信する。また、ユーザーＣは、「現在、山口県山口市○○町という地域に居る、希望報酬額は４千円」という仕事受注希望データをサーバー５に送信する。
【手続補正８】
【補正対象書類名】明細書
【補正対象項目名】００１０
【補正方法】変更
【補正の内容】
【００１０】
これらのデータが前記各ユーザーＡ，Ｂ，Ｃから入力されると、サーバー５は、直ちに（ほぼリアルタイムに）、前記ユーザーＡからの依頼希望仕事データと、前記各個人ユーザーＢ，Ｃからの各受注希望仕事データとを、互いに比較・照合する。すなわち、サーバー５は、前記Ａからの依頼希望仕事データと前記Ｂからの受注希望仕事データとを比較すると共に、前記Ａからの依頼希望仕事データと前記Ｃからの受注希望仕事データとを比較する。そして、より多く条件（場所などの条件）が合致しているユーザーＡからの依頼希望仕事データとユーザーＣからの仕事受注希望データとを、互いに「ほぼ同一又は近い」と判定する。すなわち、前述のように、ユーザーＢの現在場所は「山口県山口市の＊＊駅の近く」であるのに対して、ユーザーＣの現在場所は「山口県山口市○○町」であるので、サーバー５は、ユーザーＣの現在場所の方が、ユーザーＡの依頼希望仕事データの中の仕事の場所と「ほぼ同一又は近い」と判定する。
【手続補正９】
【補正対象書類名】明細書
【補正対象項目名】００３７
【補正方法】変更
【補正の内容】
【００３７】
次に、本実施形態４の動作を説明する。ここでは、東京都に住むユーザーＡが、遠隔の山口県山口市○○町という住所にある自分の祖先の墓の掃除という仕事を、「たまたま、祖先の命日である明日の昼（将来のある時点）に、山口県山口市○○町という住所にある自分の祖先の墓の近くに居る予定の人」に依頼したい、と希望している場合を例にして説明する。また、この場合、前記サーバー５は、会員に対して、インターネット１を介して、仕事の依頼を希望する側と仕事の受注を希望する側とのマッチング・仲介をするサービスをするためのコンピュータである。また、この場合、各ユーザーＡ，Ｂ，Ｃは、それぞれサーバー５に対して会員登録を既に行っており、サーバー５により、それぞれＩＤ（身分証明データ）の発行とパスワード（暗証番号）の設定を行ってもらっているものとする。
【手続補正１０】
【補正対象書類名】明細書
【補正対象項目名】００３８
【補正方法】変更
【補正の内容】
【００３８】
この場合、ユーザーＡは、端末２から、サーバー５に、インターネット１を介して、「仕事をしてもらいたい日時、仕事をすべき場所、仕事の内容、及び、仕事の報酬額」などの依頼希望仕事データを、自分のＩＤ及びパスワードと共に、送信（入力）する。具体的には、ユーザーＡの端末２からサーバー５に、「仕事をすべき日時（明日の昼）、仕事をすべき場所（山口県山口市○○町という住所にある自分の祖先の墓の場所）、仕事の内容（墓の掃除）、仕事の報酬額（５千円以下）」という依頼希望仕事データが、ユーザーＡからサーバー５に送信（入力）される。
【手続補正１１】
【補正対象書類名】明細書
【補正対象項目名】００３９
【補正方法】変更
【補正の内容】
【００３９】
また、これと同時に又は前後して、個人ユーザーＢ，Ｃも、それぞれ、同時に又は順次、「自分が明日の昼に居る予定の場所データ（住所地データ、地名データ、施設名データなど）、希望報酬額」などの仕事受注希望データを、サーバー５へ送信（入力）する。具体的には、個人ユーザーＢは、「明日の昼、山口県山口市の＊＊駅の近くに居る、希望報酬額は４千円」という仕事受注希望データをサーバー５に送信する。また、ユーザーＣは、「明日の昼、山口県山口市○○町の地域に居る、希望報酬額は４千円」という仕事受注希望データをサーバー５に送信する。
【手続補正１２】
【補正対象書類名】明細書
【補正対象項目名】００４０
【補正方法】変更
【補正の内容】
【００４０】
これらのデータが前記各ユーザーＡ，Ｂ，Ｃから、それぞれ、同時に又は前後して、入力されると、サーバー５は、直ちに（ほぼリアルタイムに）、前記ユーザーＡからの依頼希望仕事データと、前記各個人ユーザーＢ，Ｃからの受注希望仕事データとを、互いに比較・照合する。すなわち、サーバー５は、前記Ａからのデータと前記Ｂからのデータとを比較すると共に、前記Ａからのデータと前記Ｃからのデータとを比較する。そして、より多く相互の条件（場所・日時・報酬額などの条件）が適合・合致している「ユーザーＡからの依頼希望仕事データとユーザーＣからの受注希望仕事データ」とが「互いにほぼ同一又は近い」と判定する（すなわち、個人ユーザーＢからの受注希望仕事データとユーザーＣの受注希望仕事データとを見ると、それらの中の「日時」と「報酬希望額」はいずれも「明日の昼」と「４千円」なので同じだが、「明日の昼に居る予定場所」は、個人ユーザーＢの方が「山口県山口市の＊＊駅の近く」であるのに対してユーザーＣの方は「山口県山口市○○町」であるので、ユーザーＣの方が、ユーザーＡからの依頼希望仕事データに「より多く条件に適合・合致している」と、サーバー５が判定する）。そして、サーバー５は、前記の各ユーザーＡ及びＣに、この判定結果又はそれぞれの希望データを、通知する。